(57)【要約】  本発明は、燃料の酸化の進行度を継続的にモニターする方法であって、少なくとも後述するステップ:  ａ）モニターすべき、前記酸化の反応の進行のための、少なくとも１つの指標を決定するステップ、  ｂ）前記燃料中における、前記酸化の反応の進行のための、前記指標の含有量を測定するステップ、  ｃ）前記燃料の酸化の進行度を等級に分けるステップ、  ｄ）前記等級に従って、講ずべき対策を決定するステップ、を含むことを特徴とする方法に関する。【特許請求の範囲】
【請求項１】
燃料の酸化の進行度を継続的にモニターする方法であって、
少なくとも下記のステップ：
ａ）モニターすべき、前記酸化の反応の進行のための、少なくとも１つの指標を決定するステップ、
ｂ）前記燃料中における、前記酸化の反応の進行のための、前記指標の含有量を測定するステップ、
ｃ）前記燃料の酸化の進行度を等級に分けるステップ、
ｄ）前記等級に従って、講ずべき対策を決定するステップ、
を含み、
前記進行の指標は、少なくとも、１つの中間生成物または最終生成物、あるいは、前記燃料の１つまたは以上の成分との、少なくとも１つの酸化反応による、少なくとも１つの共生成物であり、及び、
その際、前記等級分けは、測定された前記進行の指標の含有量と、当該燃料における、誘導期間（ＩＰ）を決定するために、ＥＮ１５７５１の方法に従って測定された、加速酸化の期間後の燃料中に存在している、前記進行の指標の含有量との間の比較によって行われ；
その際、前記酸化の進行度は、
・前記測定された含有量が、厳密に０．５  ＩＰ未満（０  ＩＰ≦Ｐ１＜０．５  ＩＰ）の酸化期間（Ｐ１）に対応する場合には、初期、
・前記測定された含有量が、０．５  ＩＰまたはそれより大きく、かつ、厳密に１  ＩＰ未満（０．５  ＩＰ≦Ｐ２＜ＩＰ）の酸化期間（Ｐ２）に対応する場合には、中間、
・前記測定された含有量が、１  ＩＰまたはそれより高い（１  ＩＰ≦Ｐ３）酸化期間（Ｐ３）に対応する場合には、高度、
とされる、
ことを特徴とする、方法。
【請求項２】
前記燃料は、ケロシン、ガス・オイル及びガソリンから選択される、
ことを特徴とする、請求項１に記載の方法。
【請求項３】
前記進行の指標は、アルデヒド類、アルコール類、ケトン類、ケト酸類、エポキシド類及びカルボン酸類から選択される、族に属している、１つまたはそれより多くの分子である、
ことを特徴とする、請求項１又は２に記載の方法。
【請求項４】
前記進行の指標は、アルデヒド類、アルコール類、ケトン類、ケト酸類、エポキシド類及びカルボン酸類から選択される、特定の分子である、
ことを特徴とする、請求項１〜３のいずれか一項に記載の方法。
【請求項５】
前記進行の指標は、ホルムアルデヒド及びアセトアルデヒドから選択される、特定の分子である、
ことを特徴とする、請求項１〜４のいずれか一項に記載の方法。
【請求項６】
前記進行の指標は、エチレンオキシドである、
ことを特徴とする、請求項１〜４のいずれか一項に記載の方法。
【請求項７】
前記進行の指標は、少なくとも１つの共生成物であり、
前記共生成物は、直鎖又は分岐のアルケン類、芳香族類、アルデヒド類、アルコール類、ケトン類、ケト酸類、エポキシド類及びカルボン酸類のいずれかの族に属する１つまたはそれより多いモノマーから得られた、１つまたはそれより多い重合された分子である、
ことを特徴とする、請求項１又は２に記載の方法。
【請求項８】
アルデヒド類に属する前記モノマーは、ホルムアルデヒド及びアセトアルデヒドから選択される、
ことを特徴とする、請求項７に記載の方法。
【請求項９】
前記モノマーは、エポキシド類に属している、
ことを特徴とする、請求項７に記載の方法。
【請求項１０】
少なくとも１つの進行の指標の濃度の測定は、ＵＶ、ＩＲ、ＧＣ、ＭＳ、ＳＡＸＳ、または、圧力測定による分析の少なくとも１つによって、実施される、
ことを特徴とする、請求項１〜９のいずれか一項に記載の方法。
【請求項１１】
前記燃料は、オンボード貯蔵段階にある、
ことを特徴とする、請求項１〜１０のいずれか一項に記載の方法。
【請求項１２】
前記燃料は、ロジスティカル段階にある、
ことを特徴とする、請求項１〜１０のいずれか一項に記載の方法。
【請求項１３】
前記燃料が初期の酸化段階にある際、講ずべき対策は、抗酸化剤の添加のような是正措置、又は、酸化促進源の除去のような予防的処置である、
ことを特徴とする、請求項１〜１２のいずれか一項に記載の方法。
【請求項１４】
前記燃料が中間の酸化段階にある際、講ずべき対策は、製品の品質を改善するために、新鮮な燃料を加えるような是正措置である、
ことを特徴とする、請求項１〜１２のいずれか一項に記載の方法。
【請求項１５】
前記燃料が高度な酸化段階にある際、講ずべき対策は、前記燃料を使用することの明確な危険性の、ユーザーへの警告である、
ことを特徴とする、請求項１〜１２のいずれか一項に記載の方法。
【発明の詳細な説明】
【技術分野】
【０００１】
環境面、経済面及び規制面での変化は、ケロシンや燃料油等の、中間留出分燃料、ならびに、代替バイオ燃料の出現を奨励してきた。
【０００２】
これらの変化は、燃料の調合、物流及び関連する応用の何れにも関係している。しかしながら、これらは、より頻繁に生じる、燃料の劣化を伴う問題を抱えている。バイオ燃料として使用される、脂肪酸メチルエステル（ＦＡＭＥ）を基にする、代替燃料は、特に、自動酸化現象ならびに燃料回路内での堆積物の形成を促進する、安定性の低い成分を提供する。
【０００３】
燃料の自動酸化に起因するこれらの堆積物及びラッカーの形成は、航空機ならびに陸上輸送産業において、重要である。これらのラッカーは、実際に、エンジン及びタービンにおける、重大な故障を引き起こす可能性があり、そして、ユーザーの安全の点でも、重要である。したがって、これらの現象を助長する可能性のある、酸化の程度を有する燃料の使用を避けることを可能とするため、化石由来であるか、あるいは、バイオマスから得られるかである、該燃料の酸化状態を正確に決定することは、基本的に重要である。
【背景技術】
【０００４】
特許出願：ＷＯ  ２０１４／０８５００９  Ａ１（特許文献１）は、硫黄含有化合物、窒素含有化合物、芳香族化合物についての、その初期組成、ならびに、密度の関数として、予想することができる、熱的破断点を有する、ケロシン型燃料の製造に使用できる形態を開示している。記載されたその方法は、その熱安定性を決定するために、特に、航空機用ケロシンのフーリエ変換イオンサイクロトロン共鳴−質量分析（ＦＴＩＣＲ−ＭＳ）タイプの特性評価に基づいている。
【０００５】
特許出願：ＵＳ  ２００８／０１６７８２３  Ａ１（特許文献２）は、インピーダンス分光法を利用して、エステルの濃度の変化、あるいは、脂肪酸、グリセリド若しくはメタノールの存在を測定する方法を記載している。記載されたその方法は、ディーゼル燃料あるいはケロシン型燃料中の、脂肪酸メチルエステル（ＦＡＭＥ）の濃度を測定するために、ならびに、燃料の安定性ならびに劣化の指標と考えられる、酸価（総酸価：ＴＡＮ）を測定するために、使用することができる。
【０００６】
特許：ＵＳ  ５,１６３，９８２  Ａ（特許文献３）は、比較方法によって、燃料の安定性を決定し、そして、等級分けするために利用可能な、逆相気相クロマトグラフィー（ＧＣ）に基づいた、極性種の存在を検出する方法を記載している。
【０００７】
特許出願：ＷＯ  ２００９／０８００４９  Ａ１（特許文献４）は、その製造中に、燃料の特性ならびに品質を予測するための、計量化学的手法を使用して、ＴＡＮをはじめとする、燃料特性と相関させるために、製造工程中、あるは、製造工程時における（近赤外線吸収、蛍光）測定方法を提案している。
【０００８】
特許：ＵＳ  ５，４７５，６１２  Ａ（特許文献５）及び特許出願：ＷＯ  ９４／１７３９１  Ａ１（特許文献６）は、当該燃料の赤外線スペクトルとその物理化学的特性との間の相関を利用して、燃料の特性を予測する方法を提案しており、その一つの可能な応用は、燃料のリサーチ・オクタン価（ＲＯＮ）又はセタン指数型特性の予測である、
一般的に、分光測定法、特には、赤外線分光法（ＩＲ）は、得られたスペクトルを燃料の特性と相関させるために、利用することができる。この点で、日常的に決定される特性は、密度、粘度、あるいは、実際には、オクタン価である。これらの化学分析の従来の技術によっては、燃料の酸化の進行の程度、ならびに、酸化に対する安定性を、決定されない。
【０００９】
一例として、航空分野において、燃料の熱的安定性及び酸化安定性は、通常、「合格」又は「不合格」の結論を与える、ジェット燃料熱酸化試験（ＪＦＴＯＴ）として知られている方法を用いて、決定されている。
【００１０】
現在、ほとんどの場合、燃料の特性評価及び酸化安定性評価のための方法は、酸素の消費、形成された生成物の分析、あるいは、特性（酸価、伝導率など）の変化により、酸化をモニターしながらの、温度における、当該製品の加速酸化に基づいている。しかしながら、これらの方法は、ラッカー形成の可能性と所定の時間における燃料の酸化の実際の状態との間に信頼性のある相関を提供するためには、利用できない。したがって、包括的な状況を把握するためには、いくつかの方法を組み合わせることがしばし必要となる。
【００１１】
さらに、燃料の安定性を決定するために、フーリエ変換赤外線分光法（ＦＴＩＲ）、気相クロマトグラフィー（ＧＣ）、あるいは、実際にはインピーダンス分光法等の、いくつかの分析技術が提案されている。しかしながら、これらの技術は、初期状態、あるいは、ある時間ｔにおける状態の測定を提供することのみが可能である。我々の知る限りでは、ＷＯ  ２００９／０８００４９  Ａ１（特許文献４）のみが、燃料製造プロセス内で実施することができる継続的なモニター方法を提案している。
【先行技術文献】
【特許文献】
【００１２】
【特許文献１】ＷＯ  ２０１４／０８５００９  Ａ１
【特許文献２】ＵＳ  ２００８／０１６７８２３  Ａ１
【特許文献３】ＵＳ  ５１６３９８２  Ａ
【特許文献４】ＷＯ  ２００９／０８００４９  Ａ１
【特許文献５】ＵＳ  ５４７５６１２  Ａ
【特許文献６】ＷＯ  ９４／１７３９１  Ａ１
【発明の概要】
【発明が解決しようとする課題】
【００１３】
したがって、使用中における、これらの燃料の化学組成の進化に基づき、ならびに、温度の関数として、燃料の劣化を継続的にモニターし、そして、重度の劣化の場合には、ユーザーに警告するために、使用することができる方法を開発することは、非常に有益である。
【００１４】
本出願人は、当該燃料の組成ならびに品質が、それを使用できるために十分に持続されているかについて、何時でも、決定できることを目的として、燃料の変化を継続的にモニターするための革新的な方法を開発した。
【課題を解決するための手段】
【００１５】
特に、本発明は、燃料の酸化の進行度を継続的にモニターする方法であって、
少なくとも下記のステップ：
ａ）モニターすべき、前記酸化の反応の進行のための、少なくとも１つの指標を決定するステップ、
ｂ）前記燃料中における、前記酸化の反応の進行のための、前記指標の含有量を測定するステップ、
ｃ）前記燃料の酸化の進行度を等級に分けるステップ、
ｄ）前記等級に従って、講ずべき対策を決定するステップ、
を含み、
前記進行の指標は、少なくとも、１つの中間生成物または最終生成物、あるいは、前記燃料の１つまたは以上の成分との、少なくとも１つの酸化反応による、少なくとも１つの共生成物であり、及び、
その際、前記等級分けは、測定された前記進行の指標の含有量と、当該燃料における、誘導期間（ＩＰ）を決定するために、ＥＮ  １５７５１（あるいは、ＥＮ  １４１１２、ＡＳＴＭ  Ｄ６７５１）の方法に従って測定された、加速酸化の期間後の燃料中に存在している、前記進行の指標の含有量との間の比較によって行われ；
その際、前記酸化の進行度は、
・前記測定された含有量が、厳密に０．５  ＩＰ未満（０  ＩＰ≦Ｐ１≦０．５  ＩＰ）の酸化期間（Ｐ１）に対応する場合には、初期、
・前記測定された含有量が、０．５  ＩＰまたはそれより大きく、かつ、厳密に１  ＩＰ未満（０．５  ＩＰ≦Ｐ２≦ＩＰ）の酸化期間（Ｐ２）に対応する場合には、中間、
・前記測定された含有量が、１  ＩＰまたはそれより高い（１  ＩＰ≦Ｐ３）酸化期間（Ｐ３）に対応する場合には、高度、
とされる、
ことを特徴とする、方法に関している。
【００１６】
用語「酸化期間」は、前記ＩＰを決定するための基準となる方法と比較して、該燃料が理論的に酸化を受けてきた期間を意味する。
【発明の効果】
【００１７】
従って、本発明にかかる方法は、現在の技術水準と比較して、前記燃料の進行度の決定を用いて、燃料の品質を見分けるための、相補的かつ異なる取組み方法を提案している。
【００１８】
本発明の１つの利点は、温度の関数として、また、使用中における、これらの燃料の化学的組成中の変化に基づいて、燃料の劣化を継続的にモニターし、そして、重度の劣化の場合には、ユーザーに警報を出すために、該方法を利用することが可能である点である。
【００１９】
本発明の別の利点は、液相中及び気相中における、酸化の進行度を表示する、様々な分子又は分子群の継続的なモニタリングに基づいて、燃料の劣化度を決定するための革新的な方法を提供している点である。
【００２０】
さらに、本発明にかかる方法は、ロジスティカル段階、あるいは、オンボード貯蔵の段階において、燃料の酸化の進行度を測定するために、有利に使用することが可能である。
【図面の簡単な説明】
【００２１】
【図１】図１は、様々な酸化期間の後における、新鮮なモデル燃料の状態の変化を実証する、重ね合わされた赤外線スペクトルを示す。
【図２】図２は、新鮮なモデル燃料がまだ酸化を受けていない際、０  ＩＰにおける、新鮮なモデル燃料（ｎ−パラフィンと不飽和エステルとの混合物）の状態を示す、気相クロマトグラムである。
【図３】図３は、酸化期間の後における、新鮮なモデル燃料の状態を示す、気相クロマトグラムである。
【発明を実施するための形態】
【００２２】
以後の記述を通して、酸化の進行度は、以下のように定義される。すなわち、初期の段階、中間の段階及び高度な段階である。燃料の酸化反応は、複数の反応中間体を伴う、複雑な化学反応速度論を有している。これらの反応中間体は、前記酸化反応の進行度の指標である。
【００２３】
従って、その酸化度の関数として、燃料の化学組成は、変化するため、酸化反応の進行度は、燃料の１つまたはそれより多くの成分を用いて、少なくとも１つの酸化反応から生じる産物、反応中間体、共生成物、ならびに、最終生成物の量に対して、直接的に相関している。すなわち、前記反応中間体、共生成物、及び／又は、最終生成物の含有量を決定することによって、燃料が、初期の酸化段階、中間の酸化段階、あるいは、高度な酸化段階のいずれにあるかを決定することが可能である。
【００２４】
従って、本発明は、燃料の酸化の進行度を継続的にモニターする方法であって、
少なくとも下記のステップ：
ａ）モニターすべき、前記酸化の反応の進行のための、少なくとも１つの指標を決定するステップ、
ｂ）前記燃料中における、前記酸化の反応の進行のための、前記指標の含有量を測定するステップ、
ｃ）前記燃料の酸化の進行度を等級に分けるステップ、
ｄ）前記等級に従って、講ずべき対策を決定するステップ、
を含み、
前記進行の指標は、少なくとも、１つの中間生成物または最終生成物、あるいは、前記燃料の１つまたは以上の成分との、少なくとも１つの酸化反応による、少なくとも１つの共生成物であり、及び、
その際、前記等級分けは、測定された前記進行の指標の含有量と、当該燃料における、誘導期間（ＩＰ）を決定するために、ＥＮ  １５７５１（あるいは、ＥＮ  １４１１２、ＡＳＴＭ  Ｄ６７５１）の方法に従って測定された、加速酸化の期間後の燃料中に存在している、前記進行の指標の含有量との間の比較によって行われ；
その際、前記酸化の進行度は、
・前記測定された含有量が、厳密に０．５  ＩＰ未満（０  ＩＰ≦Ｐ１＜０．５  ＩＰ）の酸化期間（Ｐ１）に対応する場合には、初期、
・前記測定された含有量が、０．５  ＩＰまたはそれより大きく、かつ、厳密に１  ＩＰ未満（０．５  ＩＰ≦Ｐ２＜ＩＰ）の酸化期間（Ｐ２）に対応する場合には、中間、
・前記測定された含有量が、１  ＩＰまたはそれより高い（１  ＩＰ≦Ｐ３）酸化期間（Ｐ３）に対応する場合には、高度、
とされる、
ことを特徴とする、方法にかかわっている。
【００２５】
本発明にかかる方法は、化石起源の燃料、あるいは、バイオマスから取得された燃料に、有利に適用可能である。
【００２６】
１つの好ましい実施態様では、該燃料は、ケロシン、ガス・オイル及びガソリンから選択される。
【００２７】
本発明にかかる方法は、ロジスティカル段階、あるいは、オンボード貯蔵の段階における、燃料の酸化の進行度を測定するために、有利に使用することが可能である。
【００２８】
「ロジスティカル段階」という用語は、燃料が、モータービークルのリザーバー内にはない、一連の段階を意味する。
【００２９】
「オンボード貯蔵の段階」という用語は、エンジンが作動しているか否かに関わらず、燃料が、モータービークルのリザーバー内にある、一連の段階を意味する。
【００３０】
本発明において、該方法は、モニターすべき、該酸化の反応の進行のための、少なくとも１つの指標を決定するための、ステップａ）を含んでいる。
【００３１】
本発明において、前記進行の指標は、中間生成物、最終生成物、あるいは、燃料の１つまたはそれより多くの成分と、少なくとも１つの酸化反応による共生成物である。
【００３２】
炭化水素の酸化は、必然的に、少なくとも１つの酸素化された官能基を有する分子の形成につながる。酸化の進行度に依存して、分子は、より多く又はより少ない数の酸素原子を含む官能基を有することになる。一例として、２個の酸素原子を含む、カルボン酸タイプの官能基は、単一の酸素原子を含んでいる、アルデヒド官能基の酸化から得られる。従って、その官能基、ならびに、少なくとも１つの酸素化された官能基を有する分子内の変化のモニターを、前記燃料の酸化の程度を測定するために利用できる。
【００３３】
該進行の指標が、少なくとも１つの酸素化された官能基を有する族に属する１つまたはそれより多くの分子、あるいは、実際には、これらの族に属するモノマーから得られた、１つまたはそれより多くの重合された分子の分子量分布であることが有利である。
【００３４】
第１の実施態様では、該進行の指標は、アルデヒド類、アルコール類、ケトン類、ケト酸類、エポキシド類及びカルボン酸類から選択される族に属する、１つまたはそれより多くの分子であることが好ましい。
【００３５】
酸化前、該燃料を構成している分子は、直鎖若しくは分枝のアルカン類、直鎖若しくは分枝のアルケン類、あるいは、は芳香族類に属していることが好ましい。
【００３６】
好ましくは、該進行の指標は、上に定義された族に属する、特定の分子である。
【００３７】
進行の指標がアルデヒド類に属する分子である場合、該進行の指標は、ホルムアルデヒド及びアセトアルデヒドから選択される。
【００３８】
進行の指標がアルコール類に属する分子である場合、該進行の指標は、メタノールである。
【００３９】
進行の指標がエポキシド類に属する分子である場合、該進行の指標は、エチレンオキシドである。
【００４０】
あるいは、該進行の指標は、前記燃料が曝される、様々な酸化反応から得られた、１つまたはそれより多くの共生成物である。
【００４１】
進行の指標が１つまたはそれより多くの共生成物である場合、該進行の指標は、１つまたはそれより多くのモノマーから得られた、１つまたはそれより多くの重合された分子であることが有利である。
【００４２】
好ましくは、該モノマーは、直鎖又は分岐のアルケン類、芳香族類、アルデヒド類、アルコール類、ケトン類、ケト酸類、エポキシド類及びカルボン酸類の族に属している。
【００４３】
モノマーがアルデヒド類に属する場合、該モノマーは、ホルムアルデヒド及びアセトアルデヒドから選択されることが好ましい。
【００４４】
モノマーがアルコール類に属する場合、該モノマーは、メタノールであることが好ましい。
【００４５】
モノマーがエポキシド類に属する場合、該モノマーは、エチレンオキシドであることが好ましい。
【００４６】
モノマーが過酸化物類に属する場合、該モノマーは、前記燃料の、過酸化物、アルコキシド、あるいは、ラジカル種（ＲＯ２・、ＲＯ・、Ｒ・）から選択されることが好ましい。
【００４７】
本発明において、本方法は、前記燃料中における、酸化の反応に対する、進行の指標の含有量を測定するための、ステップｂ）を含んでいる。
【００４８】
一実施態様において、前記少なくとも１つの進行の指標の含有量の測定は、紫外線分析法（ＵＶ）、赤外線分析法（ＩＲ）、気相クロマトグラフィー法（ＧＳ）、質量分析法（ＭＳ）、小角Ｘ線散乱法（ＳＡＸＳ）、あるいは、実際には、圧力測定法等、当業者に知られている、少なくとも１つの分析方法により実施される。
【００４９】
本発明において、本方法は、前記燃料の酸化の進行度を等級に分けるための、ステップｃ）を含んでいる。
【００５０】
本発明において、本等級分けは、測定された進行の指標の含有量と、当該燃料の誘導期間（ＩＰ）を決定するために、ＥＮ  １５７５１（ＥＮ  １４１１２、ＡＳＴＭ  Ｄ６７５１）の方法に従って測定された、加速酸化の期間の後に、該燃料中に存在している、該進行の指標の含有量との間の比較によって、実施される。
【００５１】
誘導期間又はＩＰは、該燃料が所定の酸化度に達するのに要する時間である。その使用目的ならびにその使用分野に応じて、最低限の仕様を満たすために、燃料は、一定の時間を超えるＩＰを持たなければならない。
【００５２】
基準の方法  ＥＮ  １５７５１では、特定温度（３８３Ｋ）において、燃料の７．５ｇのサンプルを通して、空気（１０Ｌ／ｈ）をバブリングさせる。サンプルを脱した空気は、蒸留水を含んでいるフラスコ中に捕集され、そこで電導率を測定する。該セルの電導率の上昇は、サンプルの酸化に因る、揮発性の酸の水中への蓄積を示している。ＩＰは、該蒸留水の電導度測定における、傾斜率の変化で特徴付けられる。
【００５３】
本発明において、当該燃料の酸化の進行度は、ＩＰの関数として表され、そして、以下のように等級分けされる：
・前記測定された含有量が、厳密に０．５  ＩＰ未満（０  ＩＰ≦Ｐ１＜０．５  ＩＰ）の酸化期間（Ｐ１）に対応する場合には、初期、
・前記測定された含有量が、０．５  ＩＰよりも大きい、または等しく、かつ、厳密に１  ＩＰ未満（０．５ＩＰ≦Ｐ２＜ＩＰ）の酸化期間（Ｐ２）に対応する場合には、中間、
・前記測定された含有量が、１  ＩＰまたはそれより高い（１  ＩＰ≦Ｐ３）酸化期間（Ｐ３）に対応する場合には、高度。
【００５４】
すなわち、誘導期間は、本発明にかかる等級分けにおける、３つの酸化度を規定する限度を表している。一例として、測定された、進行の指標の含有量が、当該燃料の組成は、厳密に０．５  ＩＰ未満の酸化期間に対応していると示す場合には、該燃料は、初期の酸化段階にあると、等級分けされる。
【００５５】
本発明において、本方法は、前記等級分けに従って、実施すべき対策を決定するための、ステップｄ）を含んでいる。ユーザーには、燃料の劣化度、ならびに、該当するならば、講ずべき予防的対策又は改善に有効な対策が知らされる。
【００５６】
燃料が初期の酸化段階にある際、実施すべき対策は、抗酸化性添加剤の添加等の是正措置、あるいは、好ましくは、酸化促進源の除去等の予防的処置であることが有利でなる。
【００５７】
前記抗酸化剤は、ブチル  ヒドロキシトルエン（ＢＨＴ）、２,４−ジ−tert−ブチルフェノール（２,４−ＤＴＢＰ）、２−tert−ブチル−４−メチルフェノール（ＴＢＭＰ）及びトリフェニルホスフィン（ＴＰＰ）から選択されることが有利である。
【００５８】
前記酸化促進源の例は、過度に強力な通気、過度に高い光度、あるいは、実際には、汚染源の存在でありえる；その場合、該酸化促進源に対する、燃料の暴露を、適切に制限することができる。
【００５９】
燃料が、中間の酸化段階にある際、実施すべき対策は、製品の品質を改善するために、新鮮な燃料を加えるなどの是正措置であることが有利である。一実施態様において、実施すべき対策は、中間の酸化段階である、当該燃料の迅速な使用が好ましいことを、ユーザーに知らせることである。
【００６０】
燃料が、高度な酸化段階にある際、実施すべき対策は、特に、当該燃料を使用することの明確な危険性の、ユーザーへの警告である。
【実施例】
【００６１】
実施例１：本発明にかかる、等級分けの開発
いくつかの１ｍＬの燃料のサンプルを、様々な酸化時間の後に採取した。これらのサンプルは、ＤＴＧＳ検出器、単位スペクトル当たり３２スキャン、ばたびに、ＫＢｒセルを使用する、ＢＲＵＫＥＲ  Ｖｅｒｔｅｘ  ７０  ＦＴＩＲ（フーリエ変換赤外分光分析）装置を用いて、Ｈ２Ｏ／ＣＯ２を含まない空気気流中、２ｃｍ−１の分解能で分析された。図１は、酸化を受けている、モデル燃料のＦＴＩＲスペクトルの変化を示す。オレフィンの吸光度ピークは、図中において文字Ａで示され、そして、酸素化された分子の吸光度ピークは、図中において文字Ｂで示されている。実線の曲線は、０  ＩＰと同等である酸化期間に相当する。破線の曲線は、０．５  ＩＰの酸化期間に相当する。太点線の曲線は、１  ＩＰの酸化期間に相当する。細い破線の曲線は、１．５  ＩＰの酸化期間に相当する。これらの結果は、表１に記載されている。
【００６２】
【表１】
2018522212.tif 000002
【００６３】
したがって、本実施例では、厳密に１％未満の酸素化された分子の含有量は、期間Ｐ１、すなわち、本発明における、初期と呼ばれる酸化の進行度に対応しており、１％またはそれより高く、かつ、厳密に３％未満である、酸素化された分子の含有量は、期間Ｐ２、すなわち、本発明における、中間と呼ばれる酸化の進行度に対応しており、３％またはそれより高い、酸素化された分子の含有量は、期間Ｐ３、すなわち、本発明における、高度と呼ばれる酸化の進行度に対応している。
【００６４】
実施例２：本発明の実施のための質量分析法の使用
その酸化の進行度を測定すべき、１ｍＬの燃料のサンプルを、採取した。該サンプルは、ＧＣ／ＦＩＤ装置（ＤＢ１カラム、６０ｍ、０．３２０ｍｍ、０．２５μｍ）を用いて分析された。図２のクロマトグラムは、新鮮なモデル燃料の状態；０  ＩＰにおける、酸素化された分子の含有量は、０．０、すなわち、新鮮な製品中には、酸化物が存在していない状態を示す。
【００６５】
図３のクロマトグラムは、そのから、該サンプルを採取した、燃料の状態を示す。ケトン類およびエポキシド類の含有量を、測定し、その結果は、表２中に記載されている。
【００６６】
図２及び３のクロマトグラムにおいて、ケトン類に相当する、保持時間帯は、文字Ｃで、エポキシド類に相当する、保持時間帯は、文字Ｄで表示されている。
【００６７】
【表２】
2018522212.tif 000003
【００６８】
酸素化された分子の含有量は、１  ＩＰより長い酸化期間に相当した。本発明によれば、この結果は、酸化期間Ｐ３に対応している。したがって、実施例２の燃料は、「高度な酸化度」の区分に等級分けされた。講すべき対策は、当該製品を使用する際の明確なリスクのユーザーへの警告であった。
【図１】
2018522212.tif 000004
【図２】
2018522212.tif 000005
【図３】
2018522212.tif 000006
【国際調査報告】
2018522212.tif 000007
2018522212.tif 000008
2018522212.tif 000009
2018522212.tif 000010
2018522212.tif 000011
2018522212.tif 000012